(57)【要約】【課題】  処方薬局の在庫情報を常時更新し、患者が出向いた薬局において、在庫が無い状態を回避して処方された薬剤を効率よく受取れる薬剤管理装置を提供する。【解決手段】  本願に開示する薬剤管理装置は、記憶手段２がジェネリック薬品を含む薬局の在庫状況を一定期間毎に薬局情報２ａとして情報入出部８から収集し、電子カルテシステム３００ａからカルテ情報入力部４によりカルテ情報２ｂを収集し、患者情報受付手段１が患者１００から  薬局選定手段３が患者１００に処方された薬剤に基づいて１又は複数の薬局２００を選定し、薬局提示手段としての画面表示手段５が患者１００にこの薬局２００を表示し、受取薬局受付手段６が患者から選択された１又は複数の薬局２００を受付け、処方情報配布手段７がこの薬局２００に薬品データを送信する。【選択図】  図１
2010211603.tif 000002
【特許請求の範囲】
【請求項１】
複数の薬局と連携し、医療施設で患者に処方される薬剤に関する情報を管理する薬剤管理装置において、
前記複数の薬局毎に在庫の薬剤を所定期間毎に更新して在庫情報として格納する在庫記憶手段と、
患者に処方される薬剤が特定されるカルテ情報を入力され、前記在庫記憶手段の在庫情報に基づいて前記カルテ情報に対応する薬局を選定する薬局選定手段と、
前記選定した薬局を候補薬局として提示する薬局提示手段とを含む
薬剤管理装置。
【請求項２】
請求項１に記載の薬剤管理装置において、
前記薬局提示手段により提示された複数の前記候補薬局のうち、処方された薬剤の受け取りを希望する１又は複数の前記薬局を受付ける受取薬局受付手段と、
前記受取薬局受付手段に基づいて、受付けられた１又は複数の前記薬局に、前記患者の処方された前記薬剤に関する処方情報を配布する処方情報配布手段とを備え、
前記薬局選定手段が、患者に処方される薬剤についてかかりつけ薬局を含む薬局におけるジェネリック薬剤を含む薬剤の在庫を確認し、前記かかりつけ薬局を優先して選定を実行する
薬剤管理装置。
【請求項３】
請求項１又は請求項２のいずれかに記載の薬剤管理装置において、
前記在庫記憶手段が、前記患者の居住位置情報を含む前記カルテ情報を記憶し、
前記在庫記憶手段に基づいて、前記患者の居住位置及び前記医療施設の位置を終始位置として、前記薬局選定手段により選定された前記候補薬局を通過する１又は複数のルートを検索するルート検索手段を備え、
前記薬局提示手段が、前記薬局選定手段により選定された前記候補薬局を、前記ルート検索手段にて検索されたルートと共に提示する
薬剤管理装置。
【請求項４】
請求項３に記載の薬剤管理装置において、
前記在庫記憶手段が、各患者の年齢及び前記医療施設までの交通手段を含む個人特性を含む前記カルテ情報を記憶し、
前記在庫記憶手段に基づいて、前記ルート検索手段に検索されたルートに対して、各患者の前記個人特性に応じた優先度を判断するルート優先度判断手段を備え、
前記薬局提示手段が、前記薬局選定手段により選定された前記候補薬局を、前記ルート検索手段にて検索されたルートを前記優先度と共に提示する
薬剤管理装置。
【請求項５】
複数の薬局と連携し、医療施設で患者に処方される薬剤に関する情報を管理する薬剤管理方法において、
前記複数の薬局毎に在庫の薬剤を所定期間毎に更新して在庫情報として格納する在庫記憶工程と、
患者に処方される薬剤が特定されるカルテ情報を入力され、前記在庫記憶工程の在庫情報に基づいて前記カルテ情報に対応する薬局を選定する薬局選定工程と、
前記選定した薬局を候補薬局として提示する薬局提示工程とを含む
薬剤管理方法。
【請求項６】
複数の薬局と連携し、医療施設で患者に処方される薬剤に関する情報を管理するようにコンピュータを機能させる薬剤管理プログラムにおいて、
前記複数の薬局毎に在庫の薬剤を所定期間毎に更新して在庫情報として格納する在庫記憶手段、
患者に処方される薬剤が特定されるカルテ情報を入力され、前記在庫記憶手段の在庫情報に基づいて前記カルテ情報に対応する薬局を選定する薬局選定手段、
前記選定した薬局を候補薬局として提示する薬局提示手段としてコンピュータを機能させる
薬剤管理プログラム。
【発明の詳細な説明】
【技術分野】
【０００１】
本発明は、複数の薬局と連携し、患者に処方される薬剤に関する情報を一元管理する薬剤管理装置に関する。
【背景技術】
【０００２】
現在、医療施設で処方された薬剤（薬品）は、患者が当該医療施設外の薬局（主に、かかりつけ薬局）に出向いて受け取る仕組みとなっている。しかし、患者は、出向いた薬局が、処方された薬剤を取り扱っているかどうかは薬局に到着するまで分からない。このため、薬局に出向いても当該薬剤を受け取ることができない可能性がある。また、患者は、出向いた薬局において、当該薬剤を取り扱っている場合でも在庫が無いために当該薬剤を受け取ることができない可能性がある。
【０００３】
従来の薬剤管理装置としては、病院から、調剤薬局へ向けて処方データを送信する技術が知られている（例えば、特許文献１、特許文献２参照）。
【先行技術文献】
【特許文献】
【０００４】
【特許文献１】特開２００２―３６６６５８号公報
【特許文献２】特開２００３―２６３５０１号公報
【発明の概要】
【発明が解決しようとする課題】
【０００５】
しかし、従来の薬剤管理装置では、複数の薬局毎に在庫の薬剤を都度問い合わせることから通信負荷が高く、また、当該問い合わせから薬剤の受取りまでの時間内にも在庫状況が変動するために通信負荷が高い割には在庫確認の精度が低いという問題を有する。
【０００６】
本発明は、在庫情報を常時更新することで、患者が出向いた薬局において、在庫が無い状態を回避して処方された薬剤を効率よく受け取れる薬剤管理装置の提供を目的とする。
【課題を解決するための手段】
【０００７】
本願に開示する薬剤管理装置は、薬局の在庫状況を一定時間毎に収集し、患者に処方された薬剤に基づいて１又は複数の薬局を選定し、患者に当該薬局を表示し、患者から選択された１又は複数の薬局を患者に提示して薬剤の提供を指示するものである。
【発明の効果】
【０００８】
本願に開示する薬剤管理装置は、在庫情報を常時更新することで、通信負荷を軽減しつつ在庫無しの状況を回避して薬剤を処方できる１又は複数の薬局を患者に提示できることとなり、処方された薬剤を効率よく患者に提供することができる。
【図面の簡単な説明】
【０００９】
【図１】第１の実施形態に係る薬剤管理装置の構成を示すブロック図
【図２】第１の実施形態に係る薬剤管理装置のデータ例
【図３】第１の実施形態に係る薬剤管理装置を含む全体構成図
【図４】第１の実施形態に係る薬剤管理装置のフローチャート
【図５】その他の実施形態に係る薬剤管理装置の構成を示すブロック図
【図６】その他の実施形態に係る薬剤管理装置のカルテ情報のデータ例
【発明を実施するための形態】
【００１０】
（第１の実施形態）
以下、第１の実施形態に係る薬剤管理装置を、図１から図４に基づいて説明する。
【００１１】
図１は第１の実施形態に係る薬剤管理装置の構成を示すブロック図、図２はこの図１に記載された薬剤管理装置のデータ例、図３はこの図１に記載された薬剤管理装置を含む全体構成図、図４はこの図１に記載された薬剤管理装置のフローチャートを示す。
【００１２】
図１において、本実施形態に係る薬剤管理装置は、患者情報受付手段１と、記憶手段２と、薬局選定手段３と、カルテ情報入力部４と、画面表示手段５と、受取薬局受付手段６と、処方情報配布手段７と、情報入出部８とを備える構成である。
【００１３】
患者情報受付手段１は、患者１００を特定する患者情報を受付ける。記憶手段２は、複数の薬局２００毎に在庫の薬剤を、情報入出部８により一定期間毎に更新して薬局情報２ａとして格納する。薬局選定手段３は、患者１００に処方される薬剤が特定されるカルテ情報がカルテ情報入力部４にて入力され、カルテ情報２ｂ及び処方する薬局２００が登録された薬局情報２ａに基づいて在庫情報に対応する薬局２００を選定する。
【００１４】
また、画面表示手段５は、患者１００に薬局を提示する薬局提示手段として、薬局選定手段３に基づいて、選定された複数の薬局２００を配布候補薬局として画面表示する。また、受取薬局受付手段６は、画面表示手段５に基づいて、画面表示された配布候補薬局のうち、処方された薬剤の受け取りを希望する１又は複数の薬局２００を受付ける。
【００１５】
また、処方情報配布手段７は、受取薬局受付手段６に基づいて、受付けられた１又は複数の薬局２００に、患者１００の処方された薬剤に関する処方情報を配布するように、情報入出部８に指示する。情報入出部８は、処方情報配布手段７から受付けた処方情報を該当する薬局２００に配布し、また、在庫情報を取得し、この薬局情報２ａに登録する。
【００１６】
また、薬局情報２ａは、図２（ａ）に示すように、薬局コード項目と、薬剤項目と、薬品在庫数量項目と、納期項目と、ジェネリック薬品フラグ項目とを備える。この薬局コード項目は、薬局２００を一意に識別する番号を示す。また、薬剤項目は、在庫のある薬剤を示す。また、薬品在庫数量項目は、在庫のある薬剤の数量を示す。また、納期項目は、在庫のある薬剤の納期を示す。また、ジェネリック薬品フラグ項目は、薬品がジェネリック薬品であるかを示すフラグを示す。
【００１７】
また、カルテ情報２ｂは、同図（ｂ）に示すように、患者ＩＤ項目と、処方薬剤項目と、処方薬剤数量項目とを備える。患者ＩＤ項目は、患者１００を一意に識別する番号である。また、処方薬剤項目は、薬局２００で在庫があり、処方可能な薬剤を示す。また、処方薬剤数量項目は、処方可能な薬剤の数量を示す。
【００１８】
また、本実施形態の薬剤管理装置を含む全体構成は、図３に示すように、病院３００の院内に設置される電子カルテシステム３００ａと、病院３００の院内に設置される端末としての前記薬剤管理装置１０とを含む。また、本実施形態の薬剤管理装置を含む全体構成は、複数の前記薬局２００である薬局１、薬局２、、、薬局ｎと、患者１００と、患者１００の所有するＩＣカード１００ａとを含む。病院３００は、医師が処方を行い得る医療施設であれば、例えばクリニックなどであっても良い。
【００１９】
ＩＣカード１００ａは、患者１００の診察に関する情報が書き換え自由に記憶されている。また、複数の前記薬局２００である薬局１、薬局２、、、薬局ｎは、前記薬剤管理装置１０と電気的に接続され、例えばＬＡＮケーブルを用いて接続される。また、電子カルテシステム３００ａは、この薬剤管理装置１０の前記カルテ情報入力部４と電気的に接続される。
【００２０】
以下、前記構成に基づく本実施形態の薬剤管理装置の動作について説明する。
まず、前記薬剤管理装置１０は、図４に示すように、前記患者情報受付手段１により前記ＩＣカード１００ａから患者１００に関する診察情報を患者データとして読み出して取得する（Ｓ１）。次に、前記カルテ情報入力部４は、前記電子カルテシステム３００ａより患者情報及び処方データを取得し、電子カルテデータである前記カルテ情報２ｂを取得する（Ｓ２）。
【００２１】
前記薬局選定手段３は、前記情報入出部８が前記薬局２００から取得した前記薬局情報２ａに基づいて、前記薬局情報２ａにて在庫の確認を行う（Ｓ３）。ここで、前記薬局情報２ａは、前記情報入出部８により、定期的、例えば、１日１回又は週１回に複数の前記薬局２００から在庫情報を取得される。前記薬局選定手段３は、この在庫の確認に関して、在庫確認、納期確認及びジェネリック薬品確認を行う。ここで、前記薬局選定手段３は、ジェネリック薬品確認を行うことから、在庫不足で処方できないという状況を低減できることとなり、処方された薬品をかかりつけ薬局の在庫に左右されず安定的に受け取ることができる。
【００２２】
次に、前記薬局選定手段３は、前記患者１００に処方されたすべての薬品の在庫が、前記患者１００のかかりつけ薬局にあるかを判断する（Ｓ４）。このかかりつけ薬局は、前記ＩＣカード１００ａに記憶された情報を利用することができる。このＳ４により、このかかりつけ薬局にすべての薬品の在庫がある場合には、前記画面表示手段５は、患者１００にこの薬品及びこの薬品の在庫がある薬局２００を表示し、この患者１００は、この表示に基づいて、処方される薬局２００を選択する（Ｓ５）。また、前記受取薬局受付手段６は、このＳ５において選択された薬局２００を受付ける。
【００２３】
前記処方情報配布手段７は、前記受取薬局受付手段６により受付けられた薬局２００に対して処方する薬品のデータを配布するよう、前記情報入出部８に依頼する（Ｓ６）。また、前記情報入出部８は、この薬局２００に対して処方する薬品のデータを配布する（Ｓ６）。
【００２４】
また、前記Ｓ４にて、前記かかりつけ薬局にすべての薬品の在庫が無い場合には、処方データのチェックを分解して処方するべきでない薬品のチェックを行う（Ｓ７）。このチェックは、一度に処方された薬品が複数の薬局２００から処方可能な場合に、この薬品を複数の薬局２００から処方するように分割する。この分割により、処方された薬品の一部が在庫としてある薬局２００しか存在しない場合でも、これらの薬局２００を組み合わせて処方できることとなり、在庫不足で処方できない状況を回避することができる。この場合に、一部分の薬品を有する各複数薬局相互間で連携し、単一の薬局として機能する薬局連携手段を備えることにより、薬品データの内容を担保する構成とすることができる。
【００２５】
また、前記薬局選定手段３は、患者１００に処方された薬品の在庫がある薬局２００を検索する（Ｓ８）。前記薬局選定手段３は、このＳ８において、例えば、前記病院３００の近辺を優先して検索することができる。
【００２６】
前記薬局選定手段３は、薬局の薬局情報２ａへこれらの薬品の在庫確認を行う（Ｓ９）前記画面表示手段５は、患者１００にこの薬品及びこの薬品の在庫がある薬局２００を表示し、この患者１００は、この表示に基づいて、処方される薬局２００を選択する（前記Ｓ５）。
【００２７】
ここで、前記画面表示手段５は、処方箋期間内に薬局の入荷予定がある場合はその旨を表示し、入荷を待つか他の調剤薬局にするか選択を行えるように画面表示する。また、前記画面表示手段５は、ジェネリック医薬品も考慮に入れ、在庫がない場合でもジェネリック医薬品がある場合はその旨を表示し、他の調剤薬局にするか選択を行えるように画面表示する。
【００２８】
次に、前記処方情報配布手段７は、前記受取薬局受付手段６により受付けられた薬局２００に対して処方する薬品のデータを配布するよう、前記情報入出部８に依頼する（Ｓ６）。また、前記情報入出部８は、この薬局２００に対して処方する薬品のデータを配布する（Ｓ６）。このように、前記処方情報配布手段７は、処方された薬品を複数に分割して、複数の薬局で薬品が処方されることから、在庫不足で処方できないという状況を回避することとなり、処方された薬品をかかりつけ薬局の在庫に左右されず安定的に受け取ることができる。
また、本実施形態に係る薬剤管理装置の前記端末１０のハードウェア構成は、ＣＰＵ、メモリ、記憶装置、入力装置及び上記各部を接続するバスからなる。
【００２９】
（第２の実施形態）
第２の実施形態に係る薬剤管理装置を、前記第１の実施形態との追加部分に関して、図５及び図６に基づいて説明する。
【００３０】
図５は第２の実施形態に係る薬剤管理装置の構成を示すブロック図、図２はこの図１に記載された薬剤管理装置のカルテ情報のデータ例を示す。
【００３１】
本薬剤管理装置１０は、図５に示すように、前記第１の実施形態と同様に、患者情報受付手段１と、記憶手段２と、薬局選定手段３と、カルテ情報入力部４と、画面表示手段５と、受取薬局受付手段６と、処方情報配布手段７と、情報入出部８とを備える構成である。さらに、本薬剤管理装置１０は、ルート検索手段９及びルート優先度判断手段９１を備える。
【００３２】
また、カルテ情報２ｂは、図６に示すように、患者ＩＤ項目と、処方薬剤項目と、処方薬剤数量項目と、住所項目と、年齢項目と、交通手段項目と、勤務先項目とを備える。この患者ＩＤ項目と、処方薬剤項目と、処方薬剤数量項目は、前記第１の実施形態と同様の内容である。住所項目は、患者１００の住所を示す。また、年齢項目は、患者１００の年齢を示す。また、交通手段項目は、病院３００までの交通手段を示す。また、勤務先項目は、患者１００の勤務先（又は、就学先）の住所を示す。
【００３３】
また、ルート検索手段９は、前記記憶手段２に基づいて、患者１００の居住位置及び病院３００の位置を終始位置として、前記薬局選定手段３により選定された薬局２００を通過するルートを検索する。また、ルート優先度判断手段９１は、前記記憶手段２に基づいて、前記ルート検索手段９に検索されたルートに対して、各患者１００の個人特性に応じた優先度を判断する。
【００３４】
また、また、本実施形態の薬剤管理装置を含む全体構成は、前記第１の実施形態に記載した図３に示すように、電子カルテシステム３００ａと、前記薬剤管理装置１０とを含む。また、本実施形態の薬剤管理装置を含む全体構成は、複数の前記薬局２００である薬局１、薬局２、、、薬局ｎと、患者１００と、患者１００の所有するＩＣカード１００ａとを含む。
【００３５】
以下、前記構成に基づく本実施形態の薬剤管理装置の動作について、前記第１の実施形態に追加された部分に関して説明する。
まず、前記薬剤管理装置１０は、前記第１の実施形態に記載した図４に示すように、前記Ｓ８にて、前記薬局選定手段３は、患者１００に処方された薬品の在庫がある薬局２００を検索する。ここで、本実施形態では、カルテ情報２ｂに基づいて、患者１００の住所及び勤務先住所近隣の薬局２００を検索する。
【００３６】
前記ルート検索手段９は、患者１００の住所及び病院３００の位置を終始位置として、前記薬局選定手段３により選定された薬局２００を通過する１又は複数のルートを検索する。このように、前記ルート検索手段９は、患者１００の病院帰りの帰宅路であるルートに沿った薬局２００を優先的に検出できることとなり、患者１００が帰宅路に近い薬局２００にて薬品を処方されることができ、薬品の受取りの利便性を向上させることができる。
【００３７】
また、前記ルート優先度判断手段９１は、前記記憶手段２に基づいて、前記ルート検索手段９に検索されたルートに対して、各患者１００の個人特性である年齢、病院３００までの交通手段に応じた優先度を判断することができる。例えば、前記ルート優先度判断手段９１は、患者１００が高齢者で交通手段が徒歩の場合には、病院３００の近辺を優先させ、患者１００が若年者で交通手段が自動車の場合には、駐車場の近辺を優先させることができる。
【００３８】
前記ルート検索手段９は、前記ルート優先度判断手段９１からこの優先度を受付け、前記ルート検索手段９が一旦検索したルートを補正する。この補正は、単一の薬局での受取可能かを演算する単一薬局検索手段、複数の薬局で受取る場合には最小薬局数で受取可能かを演算する最小薬局数検索手段、最短ルートを検索する最短ルート検索手段、これらを複合的に判断する複合判断手段により補正する。このように、前記ルート検索手段９が一旦検索したルートをこの優先度を用いて補正することから、個々人で異なる最適なルートを検出できることとなり、患者１００に応じた薬品受取りの利便性を向上させることができる。
【００３９】
［付記］  以上の実施例を含む実施形態に関し、更に以下の付記を開示する。
（付記１）複数の薬局と連携し、医療施設で患者に処方される薬剤に関する情報を管理する薬剤管理装置において、前記複数の薬局毎に在庫の薬剤を所定期間毎に更新して在庫情報として格納する在庫記憶手段と、患者に処方される薬剤が特定されるカルテ情報を入力され、前記在庫記憶手段の在庫情報に基づいて前記カルテ情報に対応する薬局を選定する薬局選定手段と、前記選定した薬局を候補薬局として提示する薬局提示手段とを含む薬剤管理装置。
【００４０】
（付記２）前記薬局提示手段により提示された複数の前記候補薬局のうち、処方された薬剤の受け取りを希望する１又は複数の前記薬局を受付ける受取薬局受付手段と、前記受取薬局受付手段に基づいて、受付けられた１又は複数の前記薬局に、前記患者の処方された前記薬剤に関する処方情報を配布する処方情報配布手段とを備え、前記薬局選定手段が、患者に処方される薬剤についてかかりつけ薬局を含む薬局におけるジェネリック薬剤を含む薬剤の在庫を確認し、前記かかりつけ薬局を優先して選定を実行する付記１記載の薬剤管理装置。
【００４１】
（付記３）前記在庫記憶手段が、前記患者の居住位置情報を含む前記カルテ情報を記憶し、前記在庫記憶手段に基づいて、前記患者の居住位置及び前記医療施設の位置を終始位置として、前記薬局選定手段により選定された前記候補薬局を通過する１又は複数のルートを検索するルート検索手段を備え、前記薬局提示手段が、前記薬局選定手段により選定された前記候補薬局を、前記ルート検索手段にて検索されたルートと共に提示する付記１又は付記２記載の薬剤管理装置。
【００４２】
（付記４）前記在庫記憶手段が、各患者の年齢及び前記医療施設までの交通手段を含む個人特性を含む前記カルテ情報を記憶し、前記在庫記憶手段に基づいて、前記ルート検索手段に検索されたルートに対して、各患者の前記個人特性に応じた優先度を判断するルート優先度判断手段を備え、前記薬局提示手段が、前記薬局選定手段により選定された前記候補薬局を、前記ルート検索手段にて検索されたルートを前記優先度と共に提示する付記３記載の薬剤管理装置。
【００４３】
（付記５）複数の薬局と連携し、医療施設で患者に処方される薬剤に関する情報を管理する薬剤管理方法において、前記複数の薬局毎に在庫の薬剤を所定期間毎に更新して在庫情報として格納する在庫記憶工程と、患者に処方される薬剤が特定されるカルテ情報を入力され、前記在庫記憶工程の在庫情報に基づいて前記カルテ情報に対応する薬局を選定する薬局選定工程と、前記選定した薬局を候補薬局として提示する薬局提示工程とを含む薬剤管理方法。
【００４４】
（付記６）前記薬局提示工程により提示された複数の前記候補薬局のうち、処方された薬剤の受け取りを希望する１又は複数の前記薬局を受付ける受取薬局受付工程と、前記受取薬局受付工程に基づいて、受付けられた１又は複数の前記薬局に、前記患者の処方された前記薬剤に関する処方情報を配布する処方情報配布工程とを備え、前記薬局選定工程が、患者に処方される薬剤についてかかりつけ薬局を含む薬局におけるジェネリック薬剤を含む薬剤の在庫を確認し、前記かかりつけ薬局を優先して選定を実行する付記５記載の薬剤管理方法。
【００４５】
（付記７）前記在庫記憶工程が、前記患者の居住位置情報を含む前記カルテ情報を記憶し、前記在庫記憶工程に基づいて、前記患者の居住位置及び前記医療施設の位置を終始位置として、前記薬局選定工程により選定された前記候補薬局を通過する１又は複数のルートを検索するルート検索工程を備え、前記薬局提示工程が、前記薬局選定工程により選定された前記候補薬局を、前記ルート検索工程にて検索されたルートと共に提示する付記５又は付記６記載の薬剤管理方法。
【００４６】
（付記８）前記在庫記憶工程が、各患者の年齢及び前記医療施設までの交通工程を含む個人特性を含む前記カルテ情報を記憶し、前記在庫記憶工程に基づいて、前記ルート検索工程に検索されたルートに対して、各患者の前記個人特性に応じた優先度を判断するルート優先度判断工程を備え、前記薬局提示工程が、前記薬局選定工程により選定された前記候補薬局を、前記ルート検索工程にて検索されたルートを前記優先度と共に提示する付記７記載の薬剤管理方法。
【００４７】
（付記９）複数の薬局と連携し、医療施設で患者に処方される薬剤に関する情報を管理するようにコンピュータを機能させる薬剤管理プログラムにおいて、前記複数の薬局毎に在庫の薬剤を所定期間毎に更新して在庫情報として格納する在庫記憶手段、患者に処方される薬剤が特定されるカルテ情報を入力され、前記在庫記憶手段の在庫情報に基づいて前記カルテ情報に対応する薬局を選定する薬局選定手段、前記選定した薬局を候補薬局として提示する薬局提示手段としてコンピュータを機能させる薬剤管理プログラム。
【００４８】
（付記１０）前記薬局提示手段により提示された複数の前記候補薬局のうち、処方された薬剤の受け取りを希望する１又は複数の前記薬局を受付ける受取薬局受付手段、前記受取薬局受付手段に基づいて、受付けられた１又は複数の前記薬局に、前記患者の処方された前記薬剤に関する処方情報を配布する処方情報配布手段としてコンピュータを機能させ、前記薬局選定手段が、患者に処方される薬剤についてかかりつけ薬局を含む薬局におけるジェネリック薬剤を含む薬剤の在庫を確認し、前記かかりつけ薬局を優先して選定を実行する付記９記載の薬剤管理プログラム。
【００４９】
（付記１１）前記在庫記憶手段が、前記患者の居住位置情報を含む前記カルテ情報を記憶し、前記在庫記憶手段に基づいて、前記患者の居住位置及び前記医療施設の位置を終始位置として、前記薬局選定手段により選定された前記候補薬局を通過する１又は複数のルートを検索するルート検索手段としてコンピュータを機能させ、前記薬局提示手段が、前記薬局選定手段により選定された前記候補薬局を、前記ルート検索手段にて検索されたルートと共に提示する付記９又は付記１０記載の薬剤管理プログラム。
【００５０】
（付記１２）前記在庫記憶手段が、各患者の年齢及び前記医療施設までの交通手段を含む個人特性を含む前記カルテ情報を記憶し、前記在庫記憶手段に基づいて、前記ルート検索手段に検索されたルートに対して、各患者の前記個人特性に応じた優先度を判断するルート優先度判断手段としてコンピュータを機能させ、前記薬局提示手段が、前記薬局選定手段により選定された前記候補薬局を、前記ルート検索手段にて検索されたルートを前記優先度と共に提示する付記１１記載の薬剤管理プログラム。
【符号の説明】
【００５１】
１  患者情報受付手段
２  記憶手段
２ａ  薬局情報
２ｂ  カルテ情報
３  薬局選定手段
４  カルテ情報入力部
５  画面表示手段
６  受取薬局受付手段
７  処方情報配布手段
８  情報入出部
１００  患者
２００  薬局
３００  病院
３００ａ  電子カルテシステム
【図１】
2010211603.tif 000003
【図２】
2010211603.tif 000004
【図３】
2010211603.tif 000005
【図４】
2010211603.tif 000006
【図５】
2010211603.tif 000007
【図６】
2010211603.tif 000008